(57)【特許請求の範囲】
【請求項１】
ヒンジ部を介して互いに開閉自在に結合された２つの筐体を備えた電子機器において、
前記ヒンジ部の外側を回って前記２つの筐体の内部どうしを繋ぐケーブルを有し、
前記２つの筐体のうちの一方である第１の筐体が、縦方向に延び前記ケーブルを該縦方向に案内する案内溝を有し、
前記ケーブルが、前記２つの筐体のうちの他方である第２の筐体内を横方向に延び、わん曲して前記案内溝に受け入れられて縦方向に案内されたものであって、
前記第１の筐体が、前記案内溝の側面の、前記ケーブルのわん曲の内側に縦に延びるスリットを形成して該わん曲の外側に相当する部分を覆う庇部を備えたことを特徴とする電子機器。
【請求項２】
前記スリットが、前記ケーブルの直径に対応する幅のスリットであることを特徴とする請求項１記載の電子機器。
【請求項３】
前記第１の筐体の、前記案内溝の周辺部分が、該周辺部分の周囲と比べ段差を持って内側に下がった外壁面を有し、
前記周辺部分を覆う、前記段差に相当する厚さの蓋を有することを特徴とする請求項１又は２記載の電子機器。
【請求項４】
前記第１の筐体内部の、前記案内溝に隣接した前記周辺部分に含まれる位置に配備された、外部との間での信号の伝達を担うコネクタを有し、
前記蓋が、前記コネクタに対応する部分に開口を有するものであることを特徴とする請求項３記載の電子機器。
【請求項５】
前記第１の筐体は、それに内蔵される回路基板と、当該電子機器が机上に置かれるときに該机上側となる底面を備え、
前記ケーブルは前記回路基板の前記底面側に実装された回路のコネクタに接続されるものであることを特徴とする請求項１から４のうちいずれか１項記載の電子機器。
【請求項６】
前記第１の筐体が、電子回路を内蔵した本体ユニットの筐体であるとともに、前記第２の筐体が、表示画面を有する表示ユニットの筐体であって、前記表示ユニット内に無線通信用のアンテナを備え、前記ケーブルが、前記アンテナと前記本体ユニット内の電子回路とを繋ぐケーブルであることを特徴とする請求項１から５のうちいずれか１項記載の電子機器。
【請求項７】
前記第１の筐体は、第１面および前記第１面に隣接する第２面を有し、
前記案内溝は、前記第１面および前記第２面にわたって形成されていることを特徴とする請求項１から４のうちいずれか１項又は請求項６記載の電子機器。
【請求項８】
前記第１の筐体は、前記底面および前記底面に隣接する側面を有し、
前記案内溝は、前記底面および前記側面にわたって形成されていることを特徴とする請求項５記載の電子機器。
【請求項９】
前記第１の筐体は、第１面および前記第１面に隣接する第２面を有し、
前記案内溝は、前記第１面および前記第２面にわたって形成されており、
前記蓋は、前記第１面および前記第２面にわたることを特徴とする請求項３又は４記載の電子機器。
【発明の詳細な説明】
【技術分野】
【０００１】
本発明は、ヒンジ部を介して互いに開閉自在に結合された２つの筐体を備えた、例えばノート型パーソナルコンピュータ等の電子機器に関する。
【背景技術】
【０００２】
近年、ノート型パーソナルコンピュータも益々の高機能化が進み、それに伴って装置内部に延びるケーブルも増える傾向にある。こうした中で、益々の高機能化とともに益々の薄型化、軽量化等も進んできており、筐体内部は搭載部品が密に詰まっていてケーブルを引き回すための余裕もかなり小さくなっている。
【０００３】
ノート型パーソナルコンピュータは、上面にキーボード等が配置された本体ユニットと表示画面が広がる表示ユニットとを有し、それら本体ユニットと表示ユニットがヒンジ部を介して互いに開閉自在に結合された構造を有する。このような構造のノート型パーソナルコンピュータにおいて本体ユニットと表示ユニットとに跨ってケーブルを配線する場合、ヒンジ部の内側を通る配線ルートを採用するのがほとんどであり、ヒンジ部の外側を通る配線ルートは通常は採用されない。これはケーブル配線を含む装置の組立てが格段に難しくなるためである。
【０００４】
ところが、上記のように筐体内部に益々多数の部品が搭載され、それらの搭載部品が密に詰まった状態になると、回路部品の配置によっては、ヒンジ部の外側を通る配線ルートを採用するのも止むを得ない状態が発生する。このような場合に、如何にして組立性能を落とさずにヒンジ部の外側を通る配線ルートを採用するかが問題となる。
【０００５】
特許文献１〜４には、ケーブルの配線に関する様々な工夫が提案されているが、ヒンジ部の外側を通る配線ルートを採用したときの工夫については言及されていない。
【特許文献１】特開平６−１８１３９３号公報
【特許文献２】特開平９−５５５９２号公報
【特許文献３】特開平９−１４６６６８号公報
【特許文献４】特開２００２−１１２４３０号公報
【発明の開示】
【発明が解決しようとする課題】
【０００６】
本発明は、上記事情に鑑み、ヒンジ部を介して互いに開閉自在に結合された２つの筐体を備えた電子機器において、組立性能を維持したまま、ヒンジ部の外側を通る配線ルートに沿ってケーブルが配線された電子機器を提供することを目的とする。
【課題を解決するための手段】
【０００７】
上記目的を達成する本発明の電子機器は、ヒンジ部を介して互いに開閉自在に結合された２つの筐体を備えた電子機器において、ヒンジ部の外側を回って２つの筐体の内部どうしを繋ぐケーブルを有し、それら２つの筐体のうちの一方である第１の筐体が、縦方向に延びケーブルを縦方向に案内する案内溝を有するとともに、その案内溝の側面を、縦に延びるスリットを残して覆う庇部を備えたことを特徴とする。
【０００８】
本発明の電子機器は、上記の庇部を備えたため、案内溝からのケーブルの食み出しが防止され、ケーブルを正規の配線ルート上に維持することができ、ケーブル配線段の組立性能を低下させずに済み、高い組立性能を維持することができる。
【００１１】
ここで、本発明の電子機器は、上記ケーブルが、２つの筐体のうちの他方である第２の筐体内を横方向に延び、わん曲して上記案内溝に受け入れられて縦方向に案内されたものであって、上記庇部が、上記案内溝の側面の、ケーブルのわん曲の内側にスリットを形成してそのわん曲の外側に相当する部分を覆うものである。
【００１２】
こうすることにより、ケーブルが直線状に延びようとする剛性を利用して、案内溝に差し込まれたケーブルの脱落を一層確実に防止することができる。
【００１３】
また、本発明の電子機器において、上記スリットが、前記ケーブルの直径に対応する幅のスリットであることが好ましい。
こうすることにより、案内溝にケーブルを横から差し込むことができるとともに一旦差し込んだケーブルの案内溝からの脱落が防止される。
また、本発明の電子機器において、上記第１の筐体の、案内溝の周辺部分が、その周辺部分の周囲と比べ段差を持って内側に下がった外壁面を有し、その周辺部分を覆う、上記段差に相当する厚さの蓋を有することが好ましい。
【００１４】
この構造を採用すると、その蓋により、案内溝に案内されたケーブルの脱落を完全に防止し、かつそのケーブルが外部から見えないように覆われ、デザイン上も優れたものとなる。
【００１５】
ここで、蓋を備えた構成の場合、上記第１の筐体内部の、案内溝に隣接した上記周辺部に含まれる位置に配備された、外部との間での信号の伝達を担うコネクタを有し、上記蓋が、そのコネクタに対応する部分に開口を有するものであってもよい。
【００１６】
このように、この蓋はコネクタの開口部を兼ねたものであってもよい。
【００１７】
また、本発明の電子機器において、上記第１の筐体が、それに内蔵される回路基板と、当該電子機器が机上に置かれるときに該机上側となる底面を備えるとともに、前記ケーブルが前記回路基板の前記底面側に実装された回路のコネクタに接続されるものであることが好ましい。
【００１８】
この構造により、回路基板の裏面である第１の筐体の底面側に実装された回路へケーブルを取り付ける作業が容易になる。
【００１９】
さらに、本発明の電子機器において、上記第１の筐体が、電子回路を内蔵した本体ユニットの筐体であるとともに、上記第２の筐体が、表示画面を有する表示ユニットの筐体であって、表示ユニット内に無線通信用のアンテナを備え、上記ケーブルが、アンテナと本体ユニット内の電子回路とを繋ぐケーブルであってもよい。
【発明の効果】
【００２０】
以上の発明によれば、ヒンジ部分を介して互いに開閉自在に結合された２つの筐体を備えた電子機器において、組立性能を維持したまま、ヒンジ部の外側を通る配線ルートに沿ってケーブルを配線することができる。
【発明を実施するための最良の形態】
【００２１】
以下、本発明の実施形態について説明する。
［外観］
図１、図２は、本発明の電子機器の一実施形態であるノート型パーソナルコンピュータ（以下、「ノートＰＣ」と略記する）の斜視図であり、図１は、表示ユニットが開いた状態を示す図、図２は、表示ユニットが閉じた状態を示す図である。
【００２２】
このノートＰＣ１０は、本体ユニット２０と表示ユニット３０とを備えており、表示ユニット３０は、ヒンジ部４０で、本体ユニット２０に対し開閉自在に支持されている。
【００２３】
本体ユニット２０はほぼ直方体形状の箱形の筐体を有し、その筐体の上面に、電源オン／オフ釦２０１、いくつかのファンクション釦２０２、キーボード２０３、タッチパッド２０４、タッチパッド用の左クリック釦２０５と右クリック釦２０６、および指紋センサ２０７等が備えられており、前端面には、ワイヤレスＬＡＮオン／オフスイッチ２０８、スピーカ接続端子２０９、およびマイクロホン接続端子２１０等が備えられている。ここで、タッチパッド２０４の裏側には、デジタイザが重ねられて配置されている。詳細は後述する。
さらに、本体ユニット２０の右側面には、ＤＣ電源接続端子２１１、３個のＵＳＢコネクタ２１２、各種の記録メディア（ＳＤカード（登録商標）、ｘＤカード（登録商標）など）が取出し自在に挿入されるメディア挿入口２１３、ＰＣカードが取出し自在に挿入されるＰＣカード挿入口２１４、およびＩＥＥＥ１３９４コネクタ２１５等が備えられている。
【００２４】
さらに、不図示であるが、本体ユニット２０内にはＣＰＵや各種部品が搭載されたメイン基板であるマザーボードが内蔵されている。このマザーボードはキーボード２０３と同等な大きさを有し、キーボード２０３配下に位置している。従って、上記のタッチパッド２０４及びその裏側にあるデジタイザはマザーボードの領域を避け、本体ユニット２０のいわゆるパームレスト部分に位置している。
【００２５】
また表示ユニット３０は、その前面に大寸法の表示画面３０１を有し、その表示画面３０１の周りには、表示ユニット３０を本体ユニット２０上に閉じたときに表示画面３０１が本体ユニット２０の上面に直接に当たらないようにするための突起３０２が設けられている。
【００２６】
また、ヒンジ部４０は、表示ユニット３０を本体ユニット２０に開閉自在に支持させる構造を有しており、本体ユニット２０側の表示ユニット３０の辺においてその幅方向の概ね両端に設けられている。このヒンジ部４０間の表示ユニット３０の辺部分は内部空間が形成されており、その空間に後述するケーブルが配設されている。
【００２７】
表示ユニット３０は、本体ユニット２０に対し回動可能とするとともに、本体ユニット２０に対するどの開き角度でもその角度で停止している必要があり、このためヒンジ部４０は、表示ユニット３０が本体ユニット２０に対しどの開き角度にあってもその開き角度で停止するようにフリクションを与える役割りも担っている。
［タッチパッドとデジタイザ］
図３は、図１に示すノートＰＣ１０の本体ユニット２０の上面に配置されたタッチパッド２０４の部分の分解斜視図、図４は、図３に示す分解斜視図の各要素（Ａ）〜（Ｄ）を、それぞれその位置で裏返して、各要素（Ａ）〜（Ｄ）の裏面を示した斜視図である。
【００２８】
図１の本体ユニット２０の上面には、図３（Ａ）に示すタッチパッド２０４の表面があらわれており、そのタッチパッド２０４の下に図３（Ｂ）に示す金属製の枠部材４０１、さらにその下に図３（Ｃ）に示すプラスチック製の支持部材４０２が置かれ、さらにその下には、図３（Ｄ）に示すデジタイザ４０３が置かれている。
【００２９】
タッチパッド２０４は、そのタッチパッド２０４に指が置かれることによってその指が置かれた部分の静電容量が変化することを利用して指の接触位置や指の動きを検出する機能を有する静電容量式のものであり、表示画面３０１（図１参照）上のカーソルの移動の指示に利用される。
【００３０】
金属製の枠部材４０１は、タッチパッド２０４が載せられてそのタッチパッド２０４を支えるとともに、図１に示す左クリック釦２０５の押下を検出する接点スイッチ２０５ａ、右クリック釦２０６の押下を検出する接点スイッチ２０６ａおよび指紋センサ２０７の直接に検出を担うラインセンサ２０７ａが搭載された回路基板２１６が支持されている。
【００３１】
また、プラスチック製の支持基板４０２は、その下のデジタイザ４０３を補強するとともに、タッチパッド２０４に加えられた押圧力がそのデジタイザ４０３に伝わるのを防ぐためのものである。
【００３２】
さらに、その下のデジタイザ４０３は、タッチパッド２０４上に当てがわれたスタイラスペンとの電磁的な作用により、そのペン先の位置やその動きなどを検出する機能を有するものである。このデジタイザ４０３は、スタイラスペンを手に持ってタッチパッド２０４でそのペン先を動かすことによって手書き文字や手書き図形等を入力する目的で使用される。タッチパッド２０４上にペン先を当てて動かすことによってそのペン先の位置をデジタイザ４０３で検出することのできる領域の縦横比は、図１に示す表示画面３０１の縦横比と同一となっている。したがってユーザは、タッチパッド２０４上で、表示画面３０１での表示位置をイメージしながら手書き入力を行なうことができる。
【００３３】
以上のように、本体ユニット２０に、ユーザ操作の検出方法が異なるタッチパッド２０４とデジタイザ４０３を重ねて配置している。
【００３４】
図５は、タッチパッド上にスタイラスペン５０のペン先が当てられた状態を示す図である。
【００３５】
このスタイラスペン５０は、そのペン先にコイルとコンデンサとからなる共振回路が組み込まれており、デジタイザ４０３側から電磁力が受けると共振し、その共振をデジタイザ４０３側で受信することによりデジタイザ４０３側でそのスタイラスペン５０のペン先の位置が検出される。また、このスタイラスペン５０には、そのペン先の圧力を検出するセンサが組み込まれており、デジタイザ４０３側に向けてそのセンサで検出された圧力に応じた変調信号を返すことによって、デジタイザ４０３でその圧力、すなわち筆圧を検出することもできる。また、スタイラスペンの種類によっては押ボタンスイッチが備えられているものもあり、その押ボタンスイッチを押すとスタイラスペン５０からやはりそれに応じた変調信号がデジタイザ４０３に返され、デジタイザ４０３ではその押ボタンスイッチが押されたことを検出することができる。
【００３６】
タッチパッド２０４にスタイラスペン５０のペン先が当てられると、デジタイザ４０３とスタイラスペン５０との間で電磁的な信号の受け渡しが行なわれるが、これを可能とするためには、タッチパッド２０４の表面とデジタイザ４０３との間に電磁力を大きく減衰させる、寸法の大きな金属体等が存在してはならない。このために、図４に示すように、タッチパッド２０４の裏面の、デジタイザ４０３によるペン先位置検出の有効領域内となる基板の領域には、その電磁力を大きくは減衰しないように、１つのコネクタ２０４ａとそのコネクタ２０４ａ用に接続された離散的な配線２０４ｂのみ配置され、大きな固まりであるタッチパッド２０４用制御回路としてのＬＳＩ２０４ｃは、その有効領域外となる基板の位置に配置されている。
【００３７】
図６は、デジタイザとタッチパッドの制御関係を示した図である。
【００３８】
デジタイザ４０３は、電磁誘導式のセンサとスタイラスペンとの間の相互作用による入力信号がデジタイザコントローラに送られて、ペン先の位置情報等がデジタイザコントローラで検出され、その検出結果を表わす入力データがデジタイザドライバに入力される。デジタイザドライバは、その入力データに応じた、ペン先の移動方向を表わす方向成分やスイッチ操作等を表わす適切なコマンドを生成してオペレーティングシステムに送るとともに、後述するフィルタドライバを制御する。
【００３９】
一方、タッチパッド２０４は、そのタッチパッド２０４に指が触れると静電容量式のタッチパッドセンサと指との相互作用による静電容量を表わす入力信号がタッチパッドコントローラに送られてそのタッチパッドコントローラで指の位置が検出される。また、ここでは、図１に示す左クリック釦２０５および右クリック釦２０６の押下の検出も行なわれる。タッチパッドコントローラは、その検出結果に応じた入力データをタッチパッドドライバに送る。タッチパッドコントローラは、その入力データに応じたコマンドをフィルタドライバに送る。このタッチパッドコントローラからフィルタドライバに送られるコマンドは、大別して、トラックパッド上で指を動かしたことによる方向成分を表わすコマンドと、左クリック釦２０５または右クリック釦２０６の押下操作を表わすコマンドとに大別される。フィルタドライバは、デジタイザドライバの制御を受けて、タッチパッドドライバから受け取ったコマンドのうち、その制御に応じたコマンドのみをオペレーティングシステムに送る。具体的には、以下に説明するように、デジタイザドライバからの制御に応じて、タッチパッドドライバから送られてきた方向成分のコマンドとボタン操作のコマンドとのうちの方向成分のコマンドがオペレーティングシステムへは伝達されないようにフィルタドライバにより阻止され、あるいは方向成分のコマンドもフィルタドライバによる阻止を受けずにオペレーティングに伝達される。
【００４０】
オペレーティングシステムでは、デジタイザドライバから送られてきたコマンドと、タッチパッドドライバから送り出されフィルタドライバを通過して送られてきたコマンドとに基づいた適切な処理が行なわれる。
【００４１】
図７は、デジタイザとタッチパッドの制御関係を示した別の図であり、ここでは、タッチパッド２０４上にはスタイラスペンは当てられておらず、したがってデジタイザ４０３での検出が行なわれていない状態を示している。
【００４２】
このときは、デジタイザドライバは、フィルタドライバに対しタッチパッドドライバから送られてくる方向成分コマンドも有効である旨の制御を行ない、フィルタドライバはこの制御を受けて、タッチパッドドライバから受け取った方向成分コマンドとボタンコマンドとの双方をオペレーティングシステムに送る。
【００４３】
図８は、デジタイザとタッチパッドの制御関係を示したもう１つの図であり、ここではデジタイザ４０３での検出が行なわれている状態を示している。
【００４４】
この場合は、デジタイザドライバからは方向成分やスイッチ付きのスタイラスペンを使った場合のスイッチのオン／オフ等を表わすコマンドがオペレーティングシステムに送られるとともに、フィルタドライバに向けて、方向成分を無効とすべき制御を行なう。フィルタドライバは、この制御を受けて、タッチパッドドライバから方向成分のコマンドが送られてきてもその方向成分のコマンドがオペレーティングシステムに伝えられるのを阻止し、タッチパッドドライバから送られてくる、左クリック釦２０５や右クリック釦の押下操作によるコマンドのみ、オペレーティングシステムに伝えられる。
【００４５】
このような制御を行なうことにより、仮にペンを持った手がタッチパッドに触れてもデジタイザ４０３による制御とタッチパッド２０４による制御とが競合しないよう調整されている。また、この制御は、ペン入力操作時におけるタッチパッドによる誤操作を防止することにも寄与する。
【００４６】
図９は、デジタイザの検出とタッチパッドの検出との競合を避けるための処理を示すフローチャートである。
【００４７】
この処理は、既に図６〜図８を参照して説明済であるのでここでは簡単な説明にとどめる。
【００４８】
ユーザによるデジタイザの操作が行なわれると、デジタイザコントローラによりデータの送信が行なわれ（ステップＳ１１）、デジタイザドライバはそのデータを受けてコマンドを送信し（ステップＳ１２）、オペレーティングシステムを介してデジタイザ操作に応じた処理が行なわれる。
【００４９】
一方、ユーザによりタッチパッドの操作が行なわれると、タッチパッドコントローラによりデータの送信が行なわれ（ステップＳ２１）、タッチパッドドライバはそのデータを受けてコマンドを送信し（ステップＳ２２）、フィルタドライバは、デジタイザからの入力の有無に応じて（ステップＳ２３）、デジタイザからの入力がないときは、タッチパッドのコマンドをそのまま有効とし（ステップＳ２４）、これによりオペレーティングシステムを介してタッチパッド操作に応じた処理が行なわれる。一方、デジタイザからの入力があるときは、フィルタドライバは、タッチパッドのコマンドを無効とし、タッチパッドに関しては左クリック釦２０５および右クリック釦２０６の押下操作に応じたコマンドのみを有効とする（ステップＳ２５）。
【００５０】
この実施形態に示すように、タッチパッドの下にデジタイザを重ねて配置したことにより、
（１）タッチパッドとデジタイザとで操作のスペースが共有化され、別々の箇所に配置するよりも省スペースに寄与する。
【００５１】
（２）ペンで操作した後にペンを持ったまま指で操作するなど、手とペンでシームレスな使用が可能となり、タッチパッドとデジタイザを仮に別々の箇所に配置した場合、例えば表示画面３０１に重ねてデジタイザを設けた場合よりも、操作性が向上する。
【００５２】
（３）タッチパッドとデジタイザとの双方を同時には使用できないことをユーザに直感的に分かり易く知らしめることができる。
【００５３】
（４）この実施形態ではタッチパッドとデジタイザを、ノートＰＣ１０の左右の中央付近に配置したため、右利きのユーザにとっても左利きのユーザにとっても操作し易い。
という、様々な効果を奏することができる。
［セキュリティロックホールおよびＵＳＢコネクタ］
図１０は、本体ユニットのヒンジ部側後端面の一方の角部を示す斜視図である。図１に示す本体ユニット２０は、下カバーと上カバーとからなる筐体を有し、この図１０は、上カバーを外して下カバーとその内部の一部分を示している。
【００５４】
この図１０には、下カバーの、角に最も近接した位置に、セキュリティロックホール２２１が設けられており、その隣りに２つのＵＳＢコネクタ２１２が並んで配置され、さらにその隣りにはモデム用のコネクタ２２２が配置されている。これらコネクタはマザーボードに実装されている。
【００５５】
ＵＳＢコネクタ２１２には、そのＵＳＢコネクタ２１２と組み合うコネクタ５０１（図１２参照）をそのＵＳＢコネクタ２１２に抜き差しする際に横向きの力が加えられることがあり、これに十分に耐えるために支持金具２１３により支持されている。
【００５６】
セキュリティロックホール２２１は、このノートＰＣの移動を制限するロック装置が係止されるロック用の孔である。ロック装置は、そのロック位置のカギ部をそのセキュリティロックホール２２１に挿入するとそのカギ部がそのセキュリティロックホール２２１の内部で広がり、抜けなくなる。これを利用して、このノートＰＣの移動を制限するものである。
【００５７】
図１１は、支持金具の斜視図である。
【００５８】
この支持金具２１３には、ＵＳＢコネクタ２１２を押える押え板壁２１３ａと、２つの仕切壁２１３ｂ，２１３ｃと、ネジ止め板２１３ｄとを有しており、その押え板２１３ａには２つの孔２１３ｅが形成され、ネジ止め板２１３ｄには、ネジ止め用の孔２１３ｆが形成されている。
【００５９】
図１２は、図１０と同じ部分の、支持金具を取り外して示した平面図である。
【００６０】
図１１に示す支持金具２１３は、ＵＳＢコネクタ２１２に不用意な力が加えられてもそれに耐えるように、ＵＳＢコネクタ２１２の上面に押え板２１３ａが押し当てられるが、その上面には、外部のコネクタ５０１が抜かれているときにはその上面よりも下がった位置にあり、その外部のコネクタ５０１が差し込まれるとその上面よりも突出することがある突部２１２ｂを有する。
【００６１】
ここに示す２つのＵＳＢコネクタ２１２は、それらの上面２１２ａが同一面を成すように隣接して配列されており、図１１に示す支持部材２１３の押え板２１３ａは、それら２つのＵＳＢコネクタ２１２の、同一面をなす上面２１２ａを押える。このとき、この押え板２１３ａの２つの孔２１３ｅは、２つのＵＳＢコネクタ２１２の突部２１２ｂを受け入れる逃げ部として作用する。
【００６２】
このように、ＵＳＢコネクタ２１２は、外部のコネクタ５０１のサイズ違いや外部のコネクタ５０１の抜き差しによりその突部２１２ｂが上面を越えて突出することがあるが、支持金具２１３の押え板２１３ａに孔２１３ｅからなる逃げ部を設けたことにより、外部のコネクタ５０１の抜き差し操作を容易にしつつ、ＵＳＢコネクタ２１２を、簡易な構造で十分な強度を持って固定することができる。
【００６３】
図１３は、図１０と同じ部分を、支持金具を取り付けて、セキュリティロックホールの内側が見えるように上方やや斜めから見たときの斜視図である。
【００６４】
この支持金具２１３は、ネジ７１により、下カバー２２２に固定される。
【００６５】
この支持金具２１３の２つの仕切壁２１３ｂ，２１３ｃは、この支持金具２１３が固定された状態において、下カバー２２２および上カバー（図示せず）からなる筐体の内部の、セキュリティロックホール２２１につながる空間の二面を分担し、下カバー２２２の内壁２２２ａおよび上カバーの内壁と協同してその空間を仕切っている。
【００６６】
セキュリティホール２２１は、ロック用として用意してある孔であるが、ロック装置を装着しないユーザも多く、その場合、その空間が仕切られていないとこのセキュリティホール２２１から筐体の内部にまで塵埃が入り込み、その塵埃が溜まって空冷の妨げになったり、あるいは回路のショートを引きおこしたりなどの不良が発生するおそれがある。ここでは、ＵＳＢコネクタ２１２を支持するための支持金具２１３を利用することで、部品点数を増やすことなく、そのセキュリティホール２２１につながる空間を仕切り、塵埃が筐体内の奥にまで入り込むことが防止されている。
【００６７】
図１４は、本体ユニット２０の、図１にも示す右側面のヒンジ部側の角部を示す斜視図である。この図１４も、本体ユニットの上カバーを外した状態の、下カバーとその内部の一部分を示している。
【００６８】
ここには、図１に示した、ＤＣ電源接続端子２１１および３個のＵＳＢコネクタ２１２が示されている。それら３個のＵＳＢコネクタ２１２は、それらの上面が同一面を成すように並べて配置されている。
【００６９】
また、それらＤＣ電源接続端子２１１および３個のＵＳＢコネクタ２１２は、１つの支持金具２１４で支持されている。
【００７０】
図１５は、その支持金具に示す斜視図である。
【００７１】
この支持金具２１４は、ＵＳＢコネクタ２１２用の開口２１４ｆが形成された前板２１４ａ、３個のＵＳＢコネクタ２１２の突部２１２ｂ（図１６参照）を受け入れる逃げ部としての３つの孔２１４ｇを有しＵＳＢコネクタ２１２の上面を押える押え板２１４ｂ、ＤＣ電源接続端子２１１を押える端子押え部２１４ｃ、ネジ止め用の孔２１４ｈを有するネジ止め部２１４ｄ、および押え板２１４ｂと端子押え部２１４ｃおよびネジ止め部２１４ｄとをつなぐつなぎ部２１４ｅを有する。
【００７２】
図１６は、図１４と同じ部分の、支持金具２１４を取り外した状態の平面図、図１７は、図１４、図１６と同じ部分の、支持金具２１４を取り付けた状態の平面図である。
【００７３】
この支持金具２１４はネジ７２により下カバーに固定されている。
【００７４】
前述したとおり、ＵＳＢコネクタ２１２は、外部のコネクタ５０１が差し込まれていないときは上面よりも下がっており、外部のコネクタ５０１が差し込まれると上面よりも突出することがある突部２１２ｂを有する。
【００７５】
図１５に示す支持金具２１４の押え板２１４ｂの３つの孔２１４ｇは、図１６に示す３個のＵＳＢコネクタ２１２ｂを受け入れる逃げ部として作用する。この逃げ部（３つの孔２１４ｇ）を有することにより、支持金具２１４は、ＵＳＢコネクタ２１２への外部のコネクタのサイズ違いや外部のコネクタの抜き差しによらず、ＵＳＢコネクタ２１２を強固に支持することができる。また、図１７に示すように、この支持金具２１４は、その１つの支持金具で３個のＵＳＢコネクタ２１２と１個のＤＣ電源接続端子２１１を同時に支持している。
［ハードディスク構造］
図１８は、本体ユニット２０の下面の一部を示す図、図１９は、下面に設けられた蓋の内面を示す図である。
【００７６】
図１８，図１９には、内部にハードディスクアセンブリを収容した部分を覆う蓋４３１が示されている。この蓋４３１は、本体ユニット２０の下カバーの一部分を成すものであるが、この蓋４３１のみ独立して着脱可能となっている。
【００７７】
図２０は図１８と同じ部分の、蓋４３１を取り外して内部を示した図である。
【００７８】
ここには、ハードディスクアセンブリ４４０が配置されている。このハードディスクアセンブリは大容量記憶媒体であるハードディスクを内蔵しそのハードディスクを回転させながらそのハードディスクに情報を書き込み、またそのハードディスクから情報を読み出すハードディスク装置４４１を含むユニット品である。
【００７９】
図２１は、そのハードディスクアセンブリを取り出してそのハードディスクアセンブリのみを示した図である。
【００８０】
この図２１には、ハードディスク装置４４１、そのハードディスク装置４４１が有する回路基板の上を覆う絶縁シート４４２（この図２１にはその絶縁シート４４２の鍔部４４２ａのみが示されている。この鍔部４４２ａについては後述する）、およびこのハードディスク装置４４１に強度を与え、本体ユニットにハードディスク装置４４１を装着するための支持金具４４３が示されている。また、このハードディスク装置４４１が有する回路基板の一端には、本体ユニット２０内のマザーボード上に実装されたコネクタとの電気的な接続を行なうためのコネクタ４４４が固定されている。
【００８１】
図２２は、ハードディスクアセンブリ４４０を、ハードディスク装置４４１と、絶縁シート４４２が貼着された支持金具４４３とに分解して示した図である。この図２２では、その支持金具４４３（絶縁シート４４２）の、ハードディスク装置４４１の回路基板に接する側の面が示されている。
【００８２】
支持金具４４３は、金属製の板金部品であって導電性を有し、したがってハードディスク装置４４１の回路基板上に直接乗せると回路基板上の回路がショートし動作不良や故障の原因となるため、ハードディスク装置４４１と支持金具４４３は、それらの間に絶縁シート４４２を挟んで重ねられる。
【００８３】
この絶縁シート４４２は、ハードディスク装置４４１の回路基板と支持金具４４３との間の絶縁を担うとともに、さらに鍔部４４２ａを有する。この鍔部４４２ａは、支持金具４４３の、コネクタ４４４側の辺からその支持金具４４３の裏面に回り込み、図２１に示すように、その支持金具４４３の裏面に広がっている。
【００８４】
この鍔部４４２ａは、図２１に示すように、支持金具４４３の鍔部が露出した側の辺の端寄りの部分よりもその辺の中央寄りの部分が支持部材４４３の裏面に広く広がった形状を有している。
【００８５】
図２３は、ハードディスクアセンブリが備えられた部分の蓋を開けた内部であって、ハードディスクアセンブリが外された状態を示した図である。
【００８６】
本体ユニット内部の、蓋を開けたときのハードディスクアセンブリ４４０が配置された開口４３２に隣接した位置には、ハードディスク装置４４１に備えられたコネクタ４４４と結合するコネクタ４３３が配備されている。それら２つのコネクタ４３３，４４４が結合した状態で絶縁シート４４２の鍔部４４２ａを引くとハードディスク装置４４１のコネクタ４４４を本体ユニット側のコネクタ４３３から外すことができ、ハードディスクアセンブリ４４０を取り出すことができる。
【００８７】
ここで鍔部４４２ａは、上述のように、中央部分が広くなっており、通常はそこを持って引き抜かれるため、コネクタの左右に均等に力が加わり、不用意に無理な斜めの力が加わることが阻止される。
【００８８】
この開口４３２は、ハードディスクアセンブリ４４０が配置されるだけのぎりぎりのスペースしかないが、絶縁シートを延ばして鍔部４４２ａを作り、その鍔部４４２ａを引くようにすることで、狭いスペースでありながら、ハードディスクアセンブリ４４０を取り外す必要が生じた際の作業性の向上が図られている。この鍔部４４２ａは、もともと必要な絶縁シートを延長したものであり、部品点数を増やすことなく、また絶縁シートは薄いシート材であるため余計なスペースを占めることも防止されている。
［ヒンジ部外側の配線構造］
図２４は、本体ユニットの、ヒンジ部側後端面の角部の、本体ユニットの裏面側から見た斜視図である。
【００８９】
この図２４には、図１３にも示した、セキュリティロックホール２２１や２個のＵＳＢコネクタ２１２が示されている。ただし、この図２４では本体ユニットの裏面を上にして示してあるため、図１３と比べ、セキュリティロックホール２２１とＵＳＢコネクタ２１２は位置が左右逆になっている。そのＵＳＢコネクタ２１２のさらに隣りにはモデム用のコネクタ２２３が配置されている。また、ここには、独立に着脱される蓋４５１が配置されている。
【００９０】
図２５は図２４に示す蓋を取り外してその蓋のみを示した図である。
【００９１】
この蓋４５１には、図２４に示すコネクタ２２３用の開口４５１ａと、ネジ止め用の２つの孔４５１ｂが形成されている。
【００９２】
図２６は、蓋４５１を開けた内部の構造を示す斜視図である。
【００９３】
蓋４５１が覆う部分はその蓋４５１を閉めたときに平らになるようにその蓋４５１の厚さ部分だけ一段下がった形状を有する。
【００９４】
ここには、図１に示す表示ユニット３０から図１に示すヒンジ部４０の外側を通って本体ユニット側に延びてきた２本のケーブル４６０が示されている。この２本のケーブル４６０の本体ユニット側の端部は、まだ、配線されていない状態にある。
【００９５】
本体ユニットには、縦方向（本体ユニットの厚さ方向）に延びてケーブル４６０をその縦方向に案内する案内溝４５２が設けられており、そらにこの案内溝４５２の側面を、縦に延びるスリット４５３を残して覆う庇部４５４が設けられている。このスリット４５３は、ケーブル４６０の直径に対応する幅のスリットであり、そのケーブル４６０はこのスリット４５３からその案内溝４５２内に横から差し込まれる。
【００９６】
ここで、ケーブル４６０は、表示ユニット側から横方向に延び、わん曲して案内溝４５２に受け入れられて、縦方向に案内される。スリット４５３はそのケーブル４６０のわん曲の内側に形成され、そのわん曲の外側に相当する部分が庇部４５４で覆われている。ケーブル４６０は、表示ユニット側から横方向に延びていて、その剛性でできるだけ直線的に延びようとするため、案内溝４５２内ではスリット４５３から離れた側に寄ることになり、スリット４５３からのケーブル４６０の抜け出しが防止される。
【００９７】
このように、ヒンジ部の外側を回ってきたケーブル４６０を案内溝４５２に受け入れて縦に案内する構造を採用したことにより、ケーブル４６０の本体ユニット側の先端を本体ユニット内の回路に接続するとき、特に、本体ユニットに内蔵されたマザーボードの底面側に実装された回路に接続するときや、図２５に示す蓋４５１で覆うときに、ケーブル４６０が不用意に本来の配線ルートから外れることが防止され、組立性能の向上が図られている。
【００９８】
図２７は、表示ユニット３０の表示画面３０１を外して、その表示ユニット３０内部の、表示画面３０１の背面側の部分を示した図である。この表示ユニット３０の上部には、無線通信用の２つのアンテナ４６１が配備されており、これら２つのアンテナ４６１には２本のケーブル４６０のそれぞれが接続されている。
【００９９】
これら２本のケーブル４６０は、表示ユニット３０内をヒンジ部の近くまで下側に延び、そこで表示ユニット３０の筐体の開口を通って、図２６に示すようにヒンジ部４０の外側に回り込み、本体ユニット２０の案内溝４５２に案内されて、本体ユニット２０に内蔵されたマザーボードの底面側に配置された、アンテナ４６１を使って無線通信を行なうための回路に接続される。
【図面の簡単な説明】
【０１００】
【図１】表示ユニットが聞いた状態を示す図である。
【図２】表示ユニットが閉じた状態を示す図である。
【図３】ノートＰＣの本体ユニットの上面に配置されたトラックパッドの部分の分解斜視図である。
【図４】図３に示す分解斜視図の各要素（Ａ）〜（Ｄ）を、それぞれその位置で裏返して、各要素（Ａ）〜（Ｄ）の裏面を示した斜視図である。
【図５】トラックパッド上にスタイラスペンのペン先が当てられた状態を示す図である。
【図６】デジタイザとタッチパッドの制御関係を示した図である。
【図７】デジタイザとタッチパッドの制御関係を示した別の図である
【図８】デジタイザとタッチパッドの制御関係を示したもう１つの図である。
【図９】デジタイザの検出とタッチパッドの検出との競合を避けるための処理を示すフローチャートである。
【図１０】本体ユニットのヒンジ側後端面の一方の角部を示す斜視図である。
【図１１】支持金具の斜視図である。
【図１２】図１０と同じ部分の、支持金具を取り外して示した平面図である。
【図１３】図１０と同じ部分を、支持金具を取り付けて、セキュリティロックホールの内側が見えるように上方やや斜めから見たときの斜視図である。
【図１４】本体ユニットの、図１にも示す右側面のヒンジ部側の角部を示す斜視図である。
【図１５】支持金具に示す斜視図である。
【図１６】図１４と同じ部分の、支持金具を取り外した状態の平面図である。
【図１７】図１４、図１６と同じ部分の、支持金具を取り付けた状態の平面図である。
【図１８】本体ユニットの下面の一部を示す図である。
【図１９】下面に設けられた蓋の内面を示す図である。
【図２０】図１８と同じ部分の、蓋を取り外して内部を示した図である。
【図２１】ハードディスクアセンブリを取り出してそのハードディスクアセンブリのみを示した図である。
【図２２】ハードディスクアセンブリを、ハードディスク装置と、絶縁シートが貼着された支持金具とに分解して示した図である。
【図２３】ハードディスクアセンブリが配接された部分の蓋を開けた内部であって、ハードディスク装置が外された状態を示した図である。
【図２４】本体ユニットの、ヒンジ部側後端面の角部の、本体ユニットの裏面側から見た斜視図である。
【図２５】図２４に示す蓋を取り外してその蓋のみを示した図である。
【図２６】蓋を開けた内部の構造を示す斜視図である。
【図２７】表示ユニットの表示画面を外して、その表示ユニット内部の、表示画面の背面側の部分を示した図である。
【符号の説明】
【０１０１】
１０    ノートＰＣ
２０    本体ユニット
３０    表示ユニット
４０    ヒンジ部
５０    スタイラスペン
２０１    電源オン／オフ釦
２０２    ファンクション釦
２０３    キーボード
２０４    トラックパッド
２０５    左クリック釦
２０６    右クリック釦
２０７    指紋センサ
２１１    ＤＣ電源接続端子
２１２    ＵＳＢコネクタ
２１２ｂ    突部
２１３    メディア挿入口
２１３ｂ，２０３ｃ    仕切壁
２１３ｅ    孔
２１４    支持金具
２１４ｂ    押え板
２１４ｇ    孔
２１６    回路基板
２２１    セキュリティロックホール
４０１    枠部材
４０２    支持部材
４０３    デジタイザ
４３１    蓋
４３２    開口
４３３    コネクタ
４４０    ハードディスクアセンブリ
４４１    ハードディスク装置
４４２    絶縁シート
４４２ａ    鍔部
４４３    支持金具
４４４    コネクタ
４５１    蓋
４５１ａ    開口
４５２    案内溝
４５３    スリット
４５４    庇部
４６０    ケーブル
４６１    アンテナ
５０１    外部のコネクタ
【図１】
0004768479.tif 000002
【図２】
0004768479.tif 000003
【図３】
0004768479.tif 000004
【図４】
0004768479.tif 000005
【図５】
0004768479.tif 000006
【図６】
0004768479.tif 000007
【図７】
0004768479.tif 000008
【図８】
0004768479.tif 000009
【図９】
0004768479.tif 000010
【図１０】
0004768479.tif 000011
【図１１】
0004768479.tif 000012
【図１２】
0004768479.tif 000013
【図１３】
0004768479.tif 000014
【図１４】
0004768479.tif 000015
【図１５】
0004768479.tif 000016
【図１６】
0004768479.tif 000017
【図１７】
0004768479.tif 000018
【図１８】
0004768479.tif 000019
【図１９】
0004768479.tif 000020
【図２０】
0004768479.tif 000021
【図２１】
0004768479.tif 000022
【図２２】
0004768479.tif 000023
【図２３】
0004768479.tif 000024
【図２４】
0004768479.tif 000025
【図２５】
0004768479.tif 000026
【図２６】
0004768479.tif 000027
【図２７】
0004768479.tif 000028